(57)【要約】【課題】  洗剤、柔軟剤の洗剤・柔軟剤投入容器への投入が直接行え、２連の給水弁で３個所の給水が行なえる洗濯機を提供する。【解決手段】  洗剤・柔軟剤投入ケース１１には引出式の洗剤・柔軟剤容器２０が収納され、洗  剤・柔軟剤容器２０は仕切３１により洗剤を収納する第１の収納部２１と、柔軟剤を収納する第２の収納部２２とに区分けされる。第１の収納部２１と第２の収納部２２にはそれぞれサイホン機構２３、２４が設置されている。第１の収納部２１の底面の一隅には洗剤を撹拌するための洗剤撹拌翼１８が配置され、この洗剤撹拌翼１８には磁石（図示なし）を内蔵し、洗剤・柔軟剤容器２０を収納する洗剤・柔軟剤投入ケース１１に配置したモータ１７の回転軸に結合した磁石（図示なし）により洗剤・柔軟剤容器２０及び洗剤・柔軟剤投入ケース１１の壁を隔てた空間を介して前記洗剤撹伴翼を駆動する。【選択図】      図４
2005253507.tif 000002
【特許請求の範囲】
【請求項１】
洗濯槽の上方に空間で隔離された、引き出し又は取り外し可能な洗剤を投入兼溶解する第１の収納部と柔軟剤を収納する第２の収納部を備えた洗剤・柔軟剤投入容器を有する洗濯機において、
第１の給水弁と第２の給水弁を備え、第１の給水弁からは洗濯兼脱水槽に直接給水される構造とし、第２の給水弁からは第１の収納部に給水する構造とし、
前記洗剤・柔軟剤投入容器の第１の収納部に洗剤撹件翼を配置し、前記洗剤撹伴翼には磁石を内蔵し、洗剤・柔軟剤投入容器を収納する外枠に配置したモータに結合した磁石により空間を介して前記洗剤撹伴翼を駆動することを特徴とする洗濯機。
【請求項２】
洗濯槽の上方に空間で隔離された、引き出し又は取り外し可能な洗剤を投入兼溶解するための第１の収納部と柔軟剤を収納するための第２の収納部とを備えた洗剤・柔軟剤投入容器を有する洗濯機において、
第１の給水弁と第２の給水弁とを備え、第２の給水弁は、その給水流量が第１の給水弁の給水流量より少なく、かつ水栓の水圧に関係なくほぼ一定の給水流量となる構造とし、第２の給水弁からの給水路には、洗剤・柔軟剤投入容器の上部、かつ第１の収納部及び第２の収納部の一方の収納部側に注水口を配置し、第１の給水弁からは洗剤・柔軟剤投入容器を介さずに洗濯槽内に給水される構造とし、  第１の収納部と第２の収納部とを仕切る仕切の上部には、シーソー構造の水路を配置し、この水路における他方の収納部側の部位には、第１の給水弁から洗濯槽への給水経路に臨み、第１給水弁からの給水によって水力を受ける受け部を設け、
第２の給水弁単体からの給水時には、シーソー構造の水路が、一方の収納部側に傾いて、注水口から注がれた水が一方の収納部内へと注入され、
第１の給水弁と第２の給水弁とからの同時の給水時には、受け部が水力を受けることで、シーソー構造の水路が、他方の収納部側に傾くよう反転し、注水口から注がれた水が他方の収納部内へと注入されることを特徴とする洗濯機。
【請求項３】
洗剤・柔軟剤投入容器は第１の収納部側、第２の収納部側夫々にサイホン機構を配置し、サイホン機構による排水流量は第２の給水弁による給水流量より多くすることを特徴とする請求項１又は請求項２記載の洗濯機。
【発明の詳細な説明】
【技術分野】
【０００１】
本発明は粉末洗剤溶かし機能付き洗濯機に関する。
【背景技術】
【０００２】
従来、洗濯機において、洗濯機の上部に設けられた洗剤溶解容器に洗剤収納部と柔軟剤収納部を有するもの、更には、漂白剤収納部を付加したものが用いられている。洗剤溶解容器に洗剤を投入する手段としては、洗剤溶解容器の上方に水平方向に引き出し可能に設けられた洗剤投入部に一旦投入し、洗剤投入部を押し込む際に洗剤が洗剤溶解容器に押し込まれ、洗剤をモータ駆動の洗剤撹拌翼で溶解撹拌する構造のものがある（例えば、特許文献１を参照）。
【特許文献１】特開２００３−１０５９５号公報
【発明の開示】
【発明が解決しようとする課題】
【０００３】
このような従来のものでは、洗剤が洗剤投入部に完全に押し込まれなかったり、洗剤溶解容器の掃除ができなかった。更に、部品点数が多く不経済であり、柔軟仕上げ剤投入用の給水弁が別途必要等の問題があった。そこで、本発明は洗剤、柔軟剤の洗剤・柔軟剤投入容器への投入が直接行え、汚れが少なく容易にメンテナンスが行なうことができ、かつ２連の給水弁で３個所の給水が行なえる洗濯機を提供することを目的とする。
【課題を解決するための手段】
【０００４】
上記課題を解決するために、本発明の請求項１に係る洗濯機は、洗濯槽の上方に空間で隔離された、引き出し又は取り外し可能な洗剤を投入兼溶解する第１の収納部と柔軟剤を収納する第２の収納部を備えた洗剤・柔軟剤投入容器を有する洗濯機において、第１の給水弁と第２の給水弁を備え、第１の給水弁からは洗濯兼脱水槽に直接給水される構造とし、第２の給水弁からは第１の収納部に給水する構造とし、前記洗剤・柔軟剤投入容器の第１の収納部に洗剤撹件翼を配置し、前記洗剤撹伴翼には磁石を内蔵し、洗剤・柔軟剤投入容器を収納する外枠に配置したモータに結合した磁石により空間を介して前記洗剤撹伴翼を駆動するように構成した。
【０００５】
こうして、洗剤、柔軟剤の投入を直接行うことができ、洗剤・柔軟剤投入容器が容易に取り外せるためメンテナンスが行ない易い。また、洗剤撹拌翼には磁石を内蔵し、洗剤・柔軟剤容器を収納する洗剤・柔軟剤投入ケースに配置したモータの回転軸に結合した磁石により洗剤・柔軟剤容器及び洗剤・柔軟剤投入ケースの壁を隔てた空間を介して前記洗剤撹伴翼を駆動できるので、壁にモータの駆動軸を貫通させる必要がなく、シーリングの手間を省くことができる。
【０００６】
本発明の請求項２に係る洗濯機は、洗濯槽の上方に空間で隔離された、引き出し又は取り外し可能な洗剤を投入兼溶解するための第１の収納部と柔軟剤を収納するための第２の収納部とを備えた洗剤・柔軟剤投入容器を有する洗濯機において、第１の給水弁と第２の給水弁とを備え、第２の給水弁は、その給水流量が第１の給水弁の給水流量より少なく、かつ水栓の水圧に関係なくほぼ一定の給水流量となる構造とし、第２の給水弁からの給水路には、洗剤・柔軟剤投入容器の上部、かつ第１の収納部及び第２の収納部の一方の収納部側に注水口を配置し、第１の給水弁からは洗剤・柔軟剤投入容器を介さずに洗濯槽内に給水される構造とし、第１の収納部と第２の収納部とを仕切る仕切の上部には、シーソー構造の水路を配置し、この水路における他方の収納部側の部位には、第１の給水弁から洗濯槽への給水経路に臨み、第１給水弁からの給水によって水力を受ける受け部を設け、第２の給水弁単体からの給水時には、シーソー構造の水路が、一方の収納部側に傾いて、注水口から注がれた水が一方の収納部内へと注入され、第１の給水弁と第２の給水弁とからの同時の給水時には、受け部が水力を受けることで、シーソー構造の水路が、他方の収納部側に傾くよう反転し、注水口から注がれた水が他方の収納部内へと注入される構成とした。
【０００７】
こうして、第２の給水弁単体での給水では第１の収納部及び第２の収納部の一方の収納部側に給水でき、第１、第２の給水弁単位での給水では他方の柔軟剤収納部側に給水できるため、２連の給水弁で３個所の給水が行なうことができる。
【０００８】
本発明の請求項３に係る洗濯機は、上記請求項１又は請求項２記載の洗濯機において、洗剤・柔軟剤投入容器は第１の収納部側、第２の収納部側夫々にサイホン機構を配置し、サイホン機構による排水流量は第２の給水弁による給水流量より多くするように構成した。
【０００９】
こうして、サイホン機構の排水流量は第２の給水弁の給水流量より多く設定されているので、オーバーフローすることなく、サイフォン機構の作用により水は洗濯槽内に注入される。
【発明の効果】
【００１０】
以上のように本発明の洗濯機は、洗剤、柔軟剤の投入を直接行うことができ、洗剤・柔軟剤投入容器が容易に取り外せるためメンテナンスが行ない易い。また、洗剤・柔軟剤容器及び洗剤・柔軟剤投入ケースの壁を隔てた空間を介して洗剤撹伴翼を駆動できるので、壁にモータの駆動軸を貫通させる必要がなく、シーリングの手間を省くことができる。
【００１１】
第２の給水弁単体での給水では第１の収納部及び第２の収納部の一方の収納部側に給水でき、第１、第２の給水弁単位での給水では他方の柔軟剤収納部側に給水できるため、２連の給水弁で３個所の給水が行なうことができる。
【００１２】
更に、サイホン機構の排水流量は第２の給水弁の給水流量より多く設定されているので、オーバーフローすることなく、サイフォン機構の作用により水は洗濯槽内に注入することができる。
【発明を実施するための最良の形態】
【００１３】
本発明の洗濯機の基本構成を図１に示す。図において、フレーム１内には、洗濯槽を構成する外槽２と脱水槽３が支持されており、脱水槽３は外槽内に回転可能に支持されており、その周面には脱水孔４が配置されている。フレーム１の上面には蓋１ａ（開口時は１ｂ）が設けられている。給水弁９より洗濯槽内に給水され、洗剤・柔軟剤投入ケース１１中の洗剤を洗剤投入口１２から脱水槽３に投入する。洗濯が開始されると、駆動モータ６の駆動力をプーリー機構、遊星歯車でなる減速機構７を介して洗濯槽内のパルセータ５のみが回動し、所望のコースに応じた動作で洗濯を遂行する。
【００１４】
洗濯中は、洗濯水の一部は水路１５、リントフィルター１６を通って脱水槽３内に循環する。洗濯が終了したら、排水弁１３が開き排水管１４を通って外部に排水され、排水が終了すると、トルクモータ８の作用により減速機構７を制御して、脱水槽３が回転を開始する。脱水槽３の回転より洗濯水が洗濯物から遠心分離されて脱水孔４を通って排水管１４から排水される。これらの一連の制御動作は制御板１７のマイコンにより制御される。
【００１５】
次に本発明の特徴とする洗剤・柔軟剤投入容器の実施形態について、図２〜図５を参照して説明する。図２は洗剤・柔軟剤投入容器の上面平面図、図３は側面からみた垂直断面図、図４は洗剤溶解時の前面からみた垂直断面図、図５は柔軟剤溶解時の前面からみた垂直断面図である。
【００１６】
図において、洗剤・柔軟剤投入ケース１１には引出式の洗剤・柔軟剤容器２０が収納され、洗剤・柔軟剤容器２０は仕切３１により、洗剤を収納する第１の収納部２１と、柔軟剤を収納する第２の収納部２２とに区分けされる。第１の収納部２１と第２の収納部２２にはそれぞれサイホン機構２３、２４が設置されている。
【００１７】
第１の収納部２１の底面の一隅には洗剤を撹拌するための洗剤撹拌翼１９が配置され、この洗剤撹拌翼１９には磁石（図示なし）を内蔵し、洗剤・柔軟剤容器２０を収納する洗剤・柔軟剤投入ケース１１に配置したモータ１８の回転軸に結合した磁石（図示なし）により洗剤・柔軟剤容器２０及び洗剤・柔軟剤投入ケース１１の壁を隔てた空間を介して前記洗剤撹伴翼１９を駆動する。これにより、壁にモータ１８の駆動軸を貫通させる必要がなく、シーリングの手間を省くことができる。
【００１８】
給水弁９には第１の給水弁第２の給水弁を有し、第１の給水弁からの給水路２７と第２の給水弁からの給水路２８が設けられ、第１の給水弁からの給水路２７より前方に第２の給水弁からの給水路２８が配置される。第１の給水弁からの給水路２７は複数の注水口２９を洗剤・柔軟剤投入容器より上部後方に複数個有する。
【００１９】
注水口２９は、穴径が大きな複数の注水口２９ａと、穴径の小さな複数の注水口２９ｂとからなる。第１の給水弁からの給水は、注水口２９を通って、洗剤・柔軟剤投入ケース１１後面と洗剤・柔軟剤投入容器２０後面との間に形成された後部流路１１ａ内に供給され、ケース１１底面と投入容器２０底面との間に形成された下部流路１１ｂを通って、前方の給水口１１ｃから洗濯槽内に投入される。即ち、第１の給水弁からの給水は、洗剤・柔軟剤投入容器２０を介さずに、洗濯槽内に直接投入される。
【００２０】
第２の給水弁は、その給水流量が第１の給水弁の給水流量より少なくなるように、かつ水栓の水圧に関係なくほぼ一定の給水流量になるように構成される。給水路２８には、洗剤・柔軟剤投入容器１１の上部かつ第１の収納部２１側に注水口３０が単数配置され、この注水口３０を通じて第１の収納部２１に給水するように構成されている。
【００２１】
注水口３０の下方であって仕切３１の上部には、シーソー構造の水路２５が設置されている。シーソー構造の水路２５における第２の収納部２１側の部位には一体にシーソー構造の水路受け部２６が構成され、この水路受け部２６は、第１の給水弁からの給水路２７の複数個の注水口２９ａに対向する下方に位置する場所に配置される。そして該受け部２６への給水口２９ａからの注水によりシーソー構造の水路２５が第２の収納部２２側に反転する機構になっている。
【００２２】
次に、自動洗濯の開始に伴う洗剤溶解及び洗剤の投入モードについて、図４の状態図及び図６のフローチャートを参照して説明する。ステップＳ０で自動洗濯を開始する。ステップＳ１で、第２の給水弁を開放して時間給水を行ない、注水口３０から洗剤・柔軟剤投入容器１１の第１の収納部２１に給水する。
【００２３】
洗剤が収納されている第１の収納部２１に、時間給水に応じた一定量の給水がなされると、ステップＳ２で、洗剤溶かしモータ１８をオンにし、洗剤撹拌翼１９を駆動する。これにより、洗剤が撹拌され、溶解する。
【００２４】
次にステップＳ３で、第１の給水弁を開き、複数個の注水口２９を介して洗濯槽内に給水を開始する。ステップＳ４で、洗濯槽内の設定水位より任意の水位だけ少ない値になったことを検知したら、ステップＳ５で、第１給水弁による濯槽内への給水を停止する。
【００２５】
ステップＳ６で、再び第２の給水弁による給水を開始する。この間、第１の収納部２１が所定の水位になると、サイホン機構２３のサイホン作用により、洗剤混じりの水は洗濯槽内に注入され始める。サイホン機構２２、２３の排水流量は第２の給水弁の給水流量より多く設定されているので、オーバーフローすることなく、洗剤混じりの水は洗濯槽内に注入され続ける。
【００２６】
ステップＳ７で、洗濯槽内の水位が設定水位になったかどうかを判定する。もし、設定水位でなかったら（ＮＯ）、第２の給水弁による給水を継続する。設定水位になったら（ＹＥＳ）、ステップＳ８に至り、洗剤溶かし用のモータ１８をオフにして撹拌を停止し、ステップＳ９で、第２の給水弁を停止して第１の収納部２１への給水を止め、ステップＳ１０で、洗濯を開始する。
【００２７】
次に、自動洗濯が進み最終すすぎ工程に至った場合での、柔軟剤の投入モードについて、図５の状態図及び図７のフローチャートを参照して説明する。ステップＳ１１で、最終すすぎ工程がスタートすると、ステップＳ１２で、第１の給水弁を開き、複数個の注水口２９を介して洗濯槽内に給水を開始する。
【００２８】
その時、第１の給水弁からの給水２７の複数個の給水口２９ａに対向する下方に位置するシーソー構造の水路受け部２６に、注水口２９ａからの給水が注がれ、水力によりシーソー構造の水路２５が、柔軟剤が収納されている第２の収納部２２側に反転する。
【００２９】
ステップＳ１３で、洗濯槽内の設定水位より任意の水位だけ少ない値になったことを検知したら、ステップＳ１４で、第２給水弁による第２の収納部２２への時間給水を複数回行なう。このとき、第１の給水弁からは給水が続けられており、また、注水口３０からの水力は、注水口２９ａからの水力より小さいため、シーソー構造の水路２５は第２の収容部２２側に傾いたままであり、注水口からの注がれた水は、水路２５を通って第２の収容部２２内へ注入される。こうして、第２の収納部２２の水位が所定の値になると、サイフォン機構２４の作用により第２の収納部２２の柔軟剤混じりの水は洗濯槽内に注入され続ける。
【００３０】
次に、ステップＳ１５で、洗濯槽内の水位が設定水位になったかどうかを判定する。もし、設定水位でなかったら（ＮＯ）、第１の給水弁による給水を継続する。設定水位になったら（ＹＥＳ）、ステップＳ１６に至り、第１の給水弁を停止して、ステップＳ１７で、最終すすぎを開始する。
【００３１】
尚、本発明は上記実施例に限定されるものではない。例えば、洗剤・柔軟剤投入容器は洗剤・柔軟剤投入ケース（外枠）から、ケース外に取り外し可能な構成としてもよい。また、第１の収納部と第２の収納部とを反対に構成し、第２の給水弁のみからの給水では第２の収納部に注水され、第１の給水弁と第２の給水弁との同時給水では、第１の収納部に注水されるようにしてもよい。
【図面の簡単な説明】
【００３２】
【図１】本発明の洗濯機の基本構成図。
【図２】洗剤・柔軟剤投入容器の上面平面図。
【図３】洗剤・柔軟剤投入容器の側面からみた垂直断面図。
【図４】洗剤溶解時の前面からみた垂直断面図。
【図５】柔軟剤溶解時の前面からみた垂直断面図。
【図６】洗剤溶解及び洗剤の投入モードのフローチャート。
【図７】柔軟剤の投入モードのフローチャート。
【符号の説明】
【００３３】
１            洗濯機のフレーム
２            外槽
３            脱水槽
５            パルセータ
６            駆動モータ
７            減速機構
８            トルクモータ
９            給水弁
１１          洗剤・柔軟剤投入ケース
１２          洗剤投入口
１３          排水弁
１４          排水管
１６          リントフィルター
１７          制御板
１８          モータ
１９          洗剤撹拌翼
２０          洗剤・柔軟剤容器
２１          第１の収納部
２２          第２の収納部
２３，２４    サイホン機構
２５          シーソー構造の水路
２６          シーソー構造の受け部
２７          第１の給水弁からの給水路
２８          第２の給水弁からの給水路
２９，３０    注水口
【図１】
2005253507.tif 000003
【図２】
2005253507.tif 000004
【図３】
2005253507.tif 000005
【図４】
2005253507.tif 000006
【図５】
2005253507.tif 000007
【図６】
2005253507.tif 000008
【図７】
2005253507.tif 000009